(57)【特許請求の範囲】
【請求項１】
被検査対象を検査する方法であって，
被検査対象の指定箇所について画像撮像手段を用いて撮像するステップと，
前記撮像して得た画像から欠陥を検出するステップと，
前記撮像して得た画像から回路パターンを認識するステップと，
前記検出した欠陥から画像濃淡および形状に関する特徴量を算出するステップと，
前記認識した回路パターンから画像濃淡および形状に関する特徴量を算出するステップと，
前記検出した欠陥と前記認識した回路パターンの中から特定の欠陥又は回路パターンを
フィルタリングして抽出するステップと、
該フィルタリングして抽出された特定の欠陥又は回路パターンについて前記算出された特徴量を入出力端末の画面上で設定された方法に基づいて集計するステップと、
該集計した特徴量の分布状況を前記入出力端末の画面上にマップ形式で表示するステップと
を含むことを特徴とする検査方法。
【請求項２】
前記フィルタリングして抽出するステップにおいて、フィルタリングする条件は、前記入出力端末の画面上で設定された条件であることを特徴とする請求項１記載の検査方法。
【請求項３】
前記特徴量を集計するステップにおいて、前記入出力端末の画面上で設定された特徴量を対象とし、前記入出力端末の画面上で設定された集計方法に従って集計することを特徴とする請求項１記載の検査方法。
【請求項４】
前記入出力端末の画面上にマップ形式で表示するステップにおいて、被検査対象上に複数形成されたチップごと、又はチップ内の小領域ごとに前記特徴量を集計するステップにおいて設定された特徴量を集計した結果を前記入出力端末の画面上にマップ形式で表示することを特徴とする請求項２又は３に記載の検査方法。
【請求項５】
前記入出力端末の画面上に表示するマップ形式が、ウェハマップであることを特徴とする請求項２又は３に記載の検査方法。
【請求項６】
前記入出力端末の画面上に表示するマップ形式が、チップ内のマップであることを特徴とする請求項２又は３に記載の検査方法。
【請求項７】
前記フィルタリングして抽出するステップにおいて、前記フィルタリングする条件は、前記入出力端末の画面上で指定された欠陥もしくは回路パターンを抽出するように設定された条件であることを特徴とする請求項１記載の検査方法。
【請求項８】
被検査対象を検査する装置であって，
被検査対象の指定箇所の画像を撮像する画像撮像手段と，
該撮像手段で撮像して得た画像から欠陥を検出する手段と，
該撮像手段で撮像して得た画像から回路パターンを認識する手段と，
前記欠陥を検出する手段で検出した欠陥から画像濃淡および形状に関する特徴量を算出する手段と，
前記回路パターンを認識する手段で認識した回路パターンから画像濃淡および形状に関する特徴量を算出する手段と，
前記欠陥を検出する手段で検出した欠陥と前記回路パターンを認識する手段で認識した
回路パターンの中から特定の欠陥又は回路パターンをフィルタリングして抽出する抽出手
段と、
画面を備えた入出力端末手段と、
前記抽出手段でフィルタリングして抽出した前記特定の欠陥又は回路パターンについて前記特徴量を算出する手段で算出された特徴量を、前記入出力端末手段の画面上で設定された条件に基づいて集計する特徴量集計手段と、
該特徴量集計手段で集計した特徴量の分布状況を前記入出力端末手段の画面上にマップ形式で表示する表示手段と
を含むことを特徴とする検査装置。
【請求項９】
前記抽出手段においてフィルタリングする条件は、前記入出力端末手段の画面上で設定された条件であることを特徴とする請求項８記載の検査装置。
【請求項１０】
前記特徴量集計手段で決定する集計する特徴量は、前記入出力端末手段の画面上で設定されたものであることを特徴とする請求項８記載の検査装置。
【請求項１１】
前記入出力端末手段は、前記画面に被検査対象上に複数形成されたチップごと、又はチップ内の小領域ごとに前記特徴量を集計する特徴量集計手段で集計した結果をマップ形式で表示することを特徴とする請求項９又は１０に記載の検査装置。
【請求項１２】
前記入出力端末手段の画面上に表示するマップ形式は、ウェハマップであることを特徴とする請求項９又は１０に記載の検査装置。
【請求項１３】
前記入出力端末手段の画面上に表示するマップ形式は、チップ内のマップであることを特徴とする請求項９又は１０に記載の検査装置。
【請求項１４】
前記抽出手段でフィルタリングする条件は、前記入出力端末手段の画面上で指定された欠陥もしくは回路パターンを抽出するように設定された条件であることを特徴とする請求項８記載の検査装置。
【発明の詳細な説明】
【技術分野】
【０００１】
本発明は，画像取得手段を用いて試料上の欠陥および回路パターンを検査する方法およびその装置に関するものである。
【背景技術】
【０００２】
半導体ウェハの製造では，その製造プロセスを迅速に立ち上げ，高歩留りの量産体制に早期に移行させることが，収益確保のため重要である。
【０００３】
この目的のため，製造ラインには，各種の検査・計測装置が導入されている。プロセス立ち上げ段階では，所望の回路パターンが形成することができるプロセス条件を早期に決定することを目的に，例えば，プロセス条件を意図的に変更させて複数のウェハ或いはチップを作成し，それに対して検査を行い，そして，その検査結果に基づいてプロセス条件を決定する，といったことが行われる。一方，量産段階のウェハ検査は，プロセスモニタリングの目的で行われる。即ち，ウェハ製造の途中段階において，ウェハを抜き取り検査し，ウェハ表面に欠陥が発生していないか，或いは，ウェハ表面に形成された回路パターンに異常が無いか等を調べる。検査の結果，欠陥や回路パターンの異常が検出された場合には，その原因が調査され，必要な対策が行われる。
【０００４】
このような，プロセス立ち上げあるいは量産段階にて用いられる代表的な検査装置としては，光学式のウェハ検査装置がある。例えば，特開２０００−９７８６９号公報（特許文献１）には，明視野照明により，ウェハ表面の光学画像を撮像し，良品部位の画像（例えば隣接チップの画像）との比較により欠陥を検査する技術が開示されている。ただし，このような光学検査装置は，その照明波長の影響を受け，取得画像の分解能限界は数百ナノメートル程度となる。よって，ウェハ上における数十ナノメートルオーダの欠陥に関しては，その有無は検出できるのみであり，詳細な欠陥解析を行う場合は，別途，より撮像分解能の高い，欠陥観察装置などが必要になる。
【０００５】
光学式以外のウェハ検査装置として，走査電子顕微鏡（ＳＥＭ：Ｓｃａｎｎｉｎｇ  Ｅｌｅｃｔｏｒｎ  Ｍｉｃｒｏｓｃｏｐｅ）式の検査装置も知られている。この装置は，電子ビームをウェハ上の検査部位に照射し，そこから発生する２次電子等を検出して得られた画像を，良品部位の画像と比較することによって検査を行う。ＳＥＭ式検査装置は，光学式検査装置と異なり，画像分解能をナノメートルオーダまで高めることが可能であり，また，ウェハ表面の電位として顕在化されるコンタクトホールの導通不良等のような，光学像では顕在化できない欠陥モードの検査を行うことも可能である。特開２００３−１０６８２９号公報（特許文献２）には，このようなＳＥＭ式ウェハ検査装置によるウェハ検査方法について述べられている。
【０００６】
欠陥検査装置は広範囲を高速に処理する事が重要であるため，可能な限り取得する画像の画素サイズを大きく（つまり低解像度化）することによる画像データ量の削減を行っており，多くの場合，検出した低解像度の画像からは欠陥の存在は確認できても，その欠陥の種類を詳細に判別することはできない。そこで，観察装置が用いられる。観察装置とは，検査装置の出力を用い，ウェハの欠陥座標を高解像度に撮像し，画像を出力する装置である。半導体製造プロセスは微細化が進み，それに伴い欠陥サイズも数十ｎｍのオーダに達していることもあり，欠陥を詳細に観察するためには数ｎｍオーダの分解能が必要である。
【０００７】
そのため，近年では走査型電子顕微鏡を用いた観察装置（以下，レビューＳＥＭと記載）が広く使われている。半導体の量産ラインでは観察作業の自動化が望まれており，レビューＳＥＭは試料内の欠陥座標における画像を自動収集する欠陥観察処理（ＡＤＲ：Ａｕｔｏｍａｔｉｃ  Ｄｅｆｅｃｔ  Ｒｅｖｉｅｗ）機能を搭載している。検査装置が出力した欠陥座標には誤差が含まれているため，ＡＤＲでは検査装置が出力した欠陥座標を中心に視野広く撮像したＳＥＭ画像から，欠陥を再検出し，再検出した欠陥位置を高倍率で撮像する。
【０００８】
ＳＥＭ画像からの欠陥検出方法として，欠陥部位と同一の回路パターンが形成されている領域を撮像した画像を良品画像とし，欠陥部位を撮像した画像と良品画像を比較することで欠陥を検出する方法が特開２００１−１８９３５８号公報（特許文献３）に記載されている。また，欠陥部位を撮像した画像１枚から欠陥を検出する方法が特開２００７−４０９１０号公報（特許文献４）に記載されている。
【０００９】
また，パターン計測装置もウェハ検査に用いられている。この例として，ＳＥＭ式のパターン計測装置であるＣＤ−ＳＥＭ（Ｃｒｉｔｉｃａｌ−Ｄｉｍｅｎｓｉｏｎ  ＳＥＭ：測長ＳＥＭ）が知られている。ＣＤ−ＳＥＭはウェハ上の回路パターンの線幅をサブナノメートルの測定精度で計測する装置であり，特に半導体の露光プロセスの管理に用いられる。予め，レシピという条件設定ファイルに，測定すべき場所と測定すべき回路パターンのテンプレート形状（ラインパターン，穴パターン等）と計測項目（線幅，配線ピッチ，穴パターンの直径等）等を登録しておく。測定時には，各測定箇所に対し電子ビームを照射し，そこから発生する２次電子等を検出して測定対象の回路パターンの画像を取得する。そして，このパターン画像に対し，測定すべきパターンをパターンマッチングで探索し，探索されたパターンに対し，設定された計測項目を算出するための処理アルゴリズムを適用することで，パターン計測を行う。特開２００３−５９４４１号公報（特許文献５）には，このＣＤ−ＳＥＭにおけるパターン計測方法について述べられている。
【先行技術文献】
【特許文献】
【００１０】
【特許文献１】特開２０００−９７８６９号公報
【特許文献２】特開２００３−１０６８２９号公報
【特許文献３】特開２００１−１８９３５８号公報
【特許文献４】特開２００７−４０９１０号公報
【特許文献５】特開２００３−５９４４１号公報
【発明の概要】
【発明が解決しようとする課題】
【００１１】
半導体製品の歩留まり向上のためには致命となる欠陥の発生原因を特定し，対策を取ることが重要である。致命となる欠陥の発生原因を特定するための一手段として，致命となる欠陥のウェハ面内での発生傾向を把握することが重要である。しかし，パターン微細化に伴い，致命となる欠陥サイズも微小化しており，微細な欠陥を検出するために欠陥検査装置の感度を上げると，本来は欠陥ではない製造公差などを検出してしまい，欠陥の発生傾向を捕らえることが困難となる。
【００１２】
また，半導体製造プロセスの微細化に伴い，製造プロセスの複雑化が進み，発生する欠陥も多種多様となってきている。また，量産ラインの立ち上げ時には，異物欠陥などのランダムに発生する欠陥以外に，回路パターンの形状や露光・エッチング・研磨などのプロセス条件に起因して発生するシステマティック欠陥が多発する傾向がある。ランダム欠陥とシステマティック欠陥は発生原因が異なるため，両者を弁別し，各欠陥のウェハ面内での発生傾向を把握することが重要となる。また，システマティック欠陥においても欠陥種類は複数存在し（例えば，ショート欠陥とオープン欠陥など），欠陥種ごとに発生原因が異なる場合は，欠陥種ごとにウェハ面内での発生傾向を把握することが重要となる。光学式検査装置では分解能が数百ｎｍと低いため，欠陥位置を特定することは可能であっても欠陥の種類を高精度に弁別することは困難である。そのため，検査装置とは別の観察装置において高精度な画像を取得し，欠陥種類別に分類する必要が生じている。
【００１３】
また，露光条件のマージンを求めるために，露光時における焦点位置と露光量をウェハ面内において変化させ，欠陥の発生傾向や，回路パターンの形状変化傾向を定量化することが行われている。これらの作業は検査装置により欠陥を検出し，ＣＤ−ＳＥＭにより線幅を測長することにより行われる。
【００１４】
つまり，致命となる欠陥と被致命な欠陥が混在している場合や，発生理由が異なる欠陥が複数ある場合において，所望の欠陥のみに関してウェハ面内もしくはチップ面内での発生頻度や傾向を確認すること，および，回路パターンについて，ウェハ面内もしくはチップ面内での形状変化傾向を可視化することが必要である。
【００１５】
本発明では，ウェハ面内における所望の欠陥の発生傾向や，回路パターンの様々な形状変化傾向などを可視化する方法を提供する。
【課題を解決するための手段】
【００１６】
上記課題を解決するために，本発明では，被検査対象を検査する方法において，被検査
対象の指定箇所について画像撮像手段を用いて撮像し，撮像して得た画像から欠陥を検出し，撮像して得た画像から回路パターンを認識し，検出した欠陥から画像濃淡および形状に関する特徴量を算出し，認識した回路パターンから画像濃淡および形状に関する特徴量を算出し，検出した欠陥と認識した回路パターンの中から特定の欠陥又は回路パターンをフィルタリングして抽出し、フィルタリングして抽出された特定の欠陥又は回路パターンについて算出された特徴量を入出力端末の画面上で設定された方法に基づいて集計し、この集計した特徴量の分布状況を入出力端末の画面上にマップ形式で表示するようにした。
【００１７】
また、上記課題を解決するために、本発明では、被検査対象を検査する装置を，被検査
対象の指定箇所の画像を撮像する画像撮像手段と，この撮像手段で撮像して得た画像から欠陥を検出する手段と，撮像手段で撮像して得た画像から回路パターンを認識する手段と，欠陥を検出する手段で検出した欠陥から画像濃淡および形状に関する特徴量を算出する手段と，回路パターンを認識する手段で認識した回路パターンから画像濃淡および形状に関する特徴量を算出する手段と，欠陥を検出する手段で検出した欠陥と回路パターンを認識する手段で認識した回路パターンの中から特定の欠陥又は回路パターンをフィルタリングして抽出する抽出手段と、画面を備えた入出力端末手段と、抽出手段でフィルタリングして抽出した特定の欠陥又は回路パターンについて特徴量を算出する手段で算出された特徴量を記入出力端末手段の画面上で設定された条件に基づいて集計する特徴量集計手段と、特徴量集計手段で集計した特徴量の分布状況を入出力端末手段の画面上にマップ形式で表示する表示手段とを備えて構成した。
【発明の効果】
【００１８】
本発明によれば，致命となる欠陥と被致命な欠陥が混在している場合や，発生理由が異なる欠陥が複数ある場合においても，所望の欠陥のみに関してウェハ面内もしくはチップ面内での発生頻度や傾向を確認することが可能となる。また，回路パターンについて，ウェハ面内もしくはチップ面内での形状変化傾向を可視化することが可能となる。
【図面の簡単な説明】
【００１９】
【図１Ａ】実施例１にかかる検査処理の概略の流れを示すフロー図である。
【図１Ｂ】実施例１にかかる検査処理の詳細な流れを示すフロー図である。
【図２】実施例１にかかる検査装置の概略の構成を示すブロック図である。
【図３】撮像箇所指定方法の一例を示す座標系である。
【図４】実施例１にかかる撮像箇所指定方法の一例を示すウェハの平面図である。
【図５】実施例１にかかる検査条件設定画面の正面図である。
【図６】実施例１にかかる良品画像作成処理のフロー図である。
【図７】実施例１にかかる検査領域の設定例を示すチップの拡大図である。
【図８】実施例１にかかる検査領域の設定画面の正面図である。
【図９】実施例１にかかる欠陥検出処理のパラメータ設定画面の正面図である。
【図１０】実施例１にかかる回路パターン認識処理のパラメータ設定画面の正面図である。
【図１１】実施例１にかかる欠陥部位の特徴量算出処理のフロー図である。
【図１２】実施例１にかかる回路パターンの特徴量算出処理のフロー図である。
【図１３】実施例１にかかるマッピング条件指定画面の正面図である。
【図１４】実施例１にかかる検査結果の表示方法の一例を示す画面の一部の正面図である。
【図１５】実施例１にかかる検査結果の表示方法の一例を示す画面の一部の正面図である。
【図１６】実施例１にかかる検査結果の表示方法の一例を示す画面の一部の正面図である。
【図１７】実施例１にかかる検査結果の表示方法の一例を示す画面の正面図である。
【図１８】実施例１にかかる特徴量集計処理のフロー図である。
【図１９】実施例２にかかる検査結果の表示方法の一例を示す画面の一部の正面図である。
【図２０】実施例２にかかる特徴量集計処理のフロー図である。
【図２１Ａ】実施例３にかかる検査処理の概略の流れを示すフロー図である。
【図２１Ｂ】実施例３にかかる検査処理の詳細な流れを示すフロー図である。
【図２２】実施例３にかかる検査装置の概略の構成を示すブロック図である。
【図２３】実施例３にかかる検査条件自動設定処理のフロー図である。
【図２４】実施例３にかかる検査条件自動設定処理の判定方法で、チップ内の撮像箇所と特徴量集計条件との関係を示す図である。
【図２５】実施例３にかかる検査条件指定に関する画面の正面図である。
【図２６】実施例３にかかる検査条件指定に関する画面の正面図である。
【発明を実施するための形態】
【００２０】
以下に，本発明に関わる一実施例として走査電子顕微鏡を用いた欠陥および回路パターンの検査方法について説明する。
【実施例１】
【００２１】
図２は本発明にかかる検査装置の構成図を表している。装置は，ＳＥＭ２０１，検査ユニット２０２が，通信手段２０３を介して接続される構成となっている。ＳＥＭ２０１は，電子光学系カラム２０４，ＳＥＭ制御部２０５，記憶部２０６，入出力インターフェース２０７，入出力端末２０８を備えて構成される。
【００２２】
更に電子光学系カラム２０４は，試料ウェハ２０９を搭載してＸＹ平面内で移動可能な可動ステージ２１０，試料ウェハ２０９に電子ビームを照射するため電子源２１１，試料ウェハから発生した２次電子や反射電子などを検出する検出器２１２の他，電子ビームを試料ウェハ上で走査するための偏向器（図示せず）や，検出器２１２からの信号をデジタル変換してデジタル画像を生成する画像生成部２１３等を備えて構成される。
【００２３】
記憶部２０６は，ＳＥＭの撮像条件である，加速電圧やプローブ電流，撮像視野サイズなどを記憶する撮像条件記憶部２１４と，取得された画像データを保存する画像記憶部２１５，画像を撮像した位置情報を記憶する撮像位置情報記憶部２１６を備えている。
【００２４】
ＳＥＭ制御部２０５は、ＳＥＭ２０１における画像取得などの処理を制御する部位である。ＳＥＭ制御部２０５からの指示により，試料ウェハ２０９上の所定の検査部位を撮像視野に入れるための可動ステージ２１０の移動，試料ウェハ２０９への電子ビームの照射，検出器２１２で検出したデータの画像化及び画像記憶部２１５への保存などが行われる。操作者からの各種の指示や撮像条件の指定などは，キーボード，マウスやディスプレイなどから構成される入出力端末２０８を通して行われる。
【００２５】
検査ユニット２０２は、ＳＥＭ２０１で試料ウェハ０９を撮像して得られた撮像画像に対して検査処理を行う部位である。検査ユニット２０２は、検査ユニット２０２全体を制御する検査ユニット制御部２１７，画像に対し各種の演算を行い特徴量の算出を行う画像処理部２１８，算出された特徴量から特定のパターンを抽出するフィルタリング処理部２１９，算出された特徴量を集計する特徴量集計処理部２２０，集計された特徴量をもとにウェハマップを作成・表示する検査結果表示部２２１，検査処理に必要な様々な情報を記憶する検査情報記憶部２２２,ＳＥＭ本体側とのデータ授受のインターフェース機能を持つ入出力インターフェース２２３，検査ユニット２０２で行われる各種処理の条件入力や検査結果などの表示を行うための入出力端末２２４を備えて構成される。
【００２６】
検査情報記憶部２２２には，検査処理において必要となる良品画像とそれに対応付けられた検査領域の情報を記憶する検査領域情報記憶部２２５，画像に対する演算を行う際の各種パラメータを記憶する画像処理パラメータ記憶部２２６，検出したパターンから特定のパターンを抽出するためのフィルタリング条件とウェハマップを作成するために必要な特徴量の集計条件とを記憶する記憶するマッピング条件記憶部２２７，および算出した特徴量を記憶する特徴量記憶部２２８から構成される。次に，この図２に示す検査装置を用いた検査方法について次に説明する。
【００２７】
先ず、図１Ａを用いて、本発明による検査方法の概要を説明する。
最初に、ＳＥＭ２０１で試料ウェハ２０９のＳＥＭ画像を取得する（Ｓ１１）。次に、この取得したＳＥＭ画像を検査ユニット２０２で処理して、欠陥を検出し（Ｓ１２）、ＳＥＭ画像中の配線パターンを検出する（Ｓ１３）。この欠陥検出処理と配線パターン検出処理とは順次処理しても良く、また、並列に処理しても良い。図では、並列に処理する場合について示している。次に、検出した欠陥画像及び配線パターン画像に対してフィルタリング処理を行って欠陥及びパターンを分類し（Ｓ１４）、所望の欠陥又は配線パターンの画像から特徴量を算出し（Ｓ１５）、算出した結果に基づいてマッピング表示して（Ｓ１６）処理を終了する。
【００２８】
次に、図１Ａで説明した処理のフローの詳細を、図１Ｂを用いて説明する。まず，図１Ａで説明した処理のＳＥＭ画像取得（Ｓ１１）に対応する処理の詳細を説明する。検査対象となる試料ウェハ２０９をステージ２１０上にセットする（Ｓ１０１）。つぎに，検査対象ウェハ２０９の撮像箇所を指定する（Ｓ１０２）。撮像箇所は通常，危険点と呼ばれる箇所となる。危険点とは回路パターンの形成時における露光条件や，その他プロセス条件の変動に影響を受けやすく，チップ不良を引き起こす欠陥が発生しやすい箇所である。危険点はプロセスシミュレータなどにより予測することが可能である。撮像箇所はプロセスシミュレータが危険と予測した点を指定しても良いし，ユーザの経験から危険と考えられる箇所を指定しても良い。また，危険点以外でも撮像箇所を任意に指定しても良い。
【００２９】
なお，半導体ウェハはチップ単位で同一の回路パターンが複数レイアウトされており，ウェハ面内での欠陥の発生状況や回路パターンの変動状況を評価するのが目的であれば，必ずしもすべてのチップを検査する必要はない。そのため，図３に示すように撮像する座標をチップ座標で与えておき，図４に示すように撮像するチップを選択するようにしても良い。
【００３０】
次に，ＳＥＭ２０１で指定された箇所のＳＥＭ画像を取得する（Ｓ１０３）。ＳＥＭ制御部２０５は撮像条件記憶部２１４から撮像条件（例えば，加速電圧，プローブ電流，加算フレーム数など）を読み込み，指定箇所を撮像可能な位置までステージ２１０を制御し，電子銃２１１から照射した電子ビームを撮像視野内において走査し，試料２０９から発生した２次電子や反射電子を検出器２１２により検出し，画像生成部２１３においてアナログ信号をデジタル信号に変換し，画像記憶部２１５に画像を保存する。
【００３１】
なお，ステージ２１０には数ミクロンメートル程度の移動誤差が生じるため，指定箇所と実際に撮像された箇所が異なるといった問題が存在する。この問題を改善するために，特許文献５に記載されているように，指定箇所周辺に存在する予め設定されたユニークな回路パターンを撮像し，パターンマッチングにより位置あわせを行った後，ビームシフトにより指定箇所を撮像しても良い。
【００３２】
画像の取得が完了した後は，検査ユニット２０２において検査を行う。検査ユニット制御部２１７は入出力インターフェース２２３を通して，ＳＥＭ２０１で撮像した画像を取得し，入出力端末２２４に取得した画像を表示する。図５は検査条件を指定するためのＧＵＩ５００（以下，検査条件設定ＧＵＩ５００と記載）であり，取得した画像の一覧を表示する取得画像表示領域５０１を備える。
【００３３】
次に，検査条件設定ＧＵＩ５００の取得画像表示領域５０１に表示された複数枚の撮像画像の中から，良品画像を指定する（Ｓ１０４）。良品画像は撮像した被検査画像から比較検査により欠陥を検出するために用いられるため，意図したとおりにパターンが形成されており，欠陥が含まれない画像である必要がある。一般的に製造プロセスが確立した後の量産ラインにおける検査では，撮像した画像の中に良品画像が含まれていると考えられる。例えば，ウェハ面内の中心部においては正常に回路パターンが形成されるが，ウェハの反りなどの影響で露光工程においてフォーカスが外れたためウェハ外周部においてはパターンが細くなるような場合，ウェハ中心部を撮像した画像を良品画像として指定すれば良い。この場合，検査条件設定ＧＵＩの画像一覧から良品画像を選択し，登録ボタン５０２を押すことで指定が完了する。
【００３４】
以上は，良品画像の撮像に理想的な箇所（欠陥が含まれず正常にパターンが形成されている箇所）がウェハ面内において存在する場合である。しかし，量産ラインの立ち上げ時やプロセス条件の条件出し時などにおいては，理想的な撮像箇所が存在しない場合がある。
【００３５】
このような場合，撮像した複数枚の画像から合成することで良品画像を作成し，検査を行うことが可能である。検査条件設定ＧＵＩの画像一覧から合成に用いる画像を複数選択し，合成ボタン５０３を押すことで合成処理が実行される。合成時には回路パターンのレイアウトが同一の画像を用いる。半導体ウェハにおいてはチップ内における座標が同一であれば回路パターンのレイアウトも同一であるため，チップ内における座標ごとに合成処理を行えばよい。
【００３６】
合成処理のフローを図６に示す。まず，複数枚の画像の位置あわせを行う（Ｓ６０１）。ＳＥＭ２０１では指定箇所にステージを移動させ，ステージ移動誤差を測量し，測量した結果をもとに電子ビームの走査範囲を決定し，画像を取得するため，高精度に位置決めを行うことが可能である。しかし，ステージ移動誤差の測量誤差などにより，画像間で撮像位置が微妙に異なるのが一般的である。そこで，画像中の回路パターンなどが重なるように画像処理により位置あわせを行う。
【００３７】
次に，複数枚の画像から平均濃淡値を持つ平均画像を作成する（Ｓ６０２）。各画素の平均値を算出することにより，欠陥部位における濃淡値が正常部位における画素で平均化され，欠陥が顕在化されていない画像を作成することが可能となる。また，良品画像は保存ボタン５０４を押すことにより名前をつけて画像記憶部２１５に記憶することが可能であり，読込みボタン５０５を押すことにより，名前を指定して画像記憶部２１５から読み込むことが可能である。これにより，他のウェハで撮像した画像を良品画像として指定することが可能となる。
【００３８】
次に，検査領域情報の設定を行う（Ｓ１０５）。検査領域情報とは，ユーザが良品画像の視野内において定義した領域の情報であり，フィルタリング時の条件として利用する。
【００３９】
図７は検査領域情報の設定例を示している。図７の例では良品画像７０１には縦方向と横方向といった構造が異なる回路パターンが含まれている。ここで，例えば縦方向と横方向の回路パターンにおいて欠陥の発生理由が異なることが判明している場合，欠陥数をプロットしたウェハマップを回路パターンの方向別に作成することが重要となる。
【００４０】
そこで，図７に示すように，縦方向の回路パターン領域に領域Ａ（７０２）を，横方向の回路パターン領域に領域Ｂ（７０３）を設定した場合，後述するフィルタリング処理を用いれば，領域Ａ（７０２）および領域Ｂ（７０３）の欠陥のみをそれぞれ抽出可能となる。検査領域情報を設定するためのＧＵＩを図８に示す。本ＧＵＩは検査条件設定ＧＵＩ（図５）の領域設定ボタン５０３を押すことで呼び出される。
【００４１】
本ＧＵＩでは，Ｓ１０４において設定された良品画像を表示するインターフェース８０１と，領域情報の追加や削除を行うインターフェース８０２，領域を定義するための各種ツールボタン８０３から構成される。ユーザは定義する領域の形状に合わせてツールボタンから適切な形状設定ツールを選択し，マウスなどを用いて良品画像上で座標を指定することで領域を定義する。なお，領域の定義の仕方は回路パターンの方向に着目したもの以外でも良く，例えばメモリセル部とロジック部を分けて指定したり，テスト用のパターン領域やダミーパターン領域を指定したりしても良い。
【００４２】
次に，「欠陥検出」と「回路パターン認識」の画像処理パラメータを設定し調整を行う（Ｓ１０６）。図９よび図１０は画像処理パラメータの調整を行うためのＧＵＩであり，検査条件設定ＧＵＩ（図５）において，パラメータ設定ボタン５０６を押すことで表示される。画像処理パラメータ調整ＧＵＩでは「欠陥検出」と「回路パターン認識」に関するパラメータ調整画面をタブ表示などで切り替えて表示することが可能であり，図９は「欠陥検出」に関するパラメータ調整画面のタブが選択されている状態である。欠陥検出パラメータ調整画面では良品画像と被検査画像，欠陥検出結果の画像を表示するインターフェース（９０１〜９０３）と，欠陥検出アルゴリズムの変更や，パラメータの値を調整するためのインターフェース９０４を備える。
【００４３】
図９では欠陥検出結果として，欠陥として抽出された領域を白く表示している。なお，被検査画像上において欠陥として検出した領域の表示色を変更するなどにより強調表示するようにしても良い。また，欠陥検出アルゴリズムもしくはパラメータの値が調整された場合，欠陥検出処理を実行し，その結果をＧＵＩ上の表示に反映させても良い。これによりパラメータの調整結果をリアルタイムで確認することが可能となり，パラメータ調整が容易となる。
【００４４】
図１０は画像処理パラメータ調整画面のうち「回路パターン認識」に関するパラメータ調整画面のタブが選択されている状態である。「欠陥検出」のパラメータ調整画面と同様に，良品画像と被検査画像，回路パターン認識結果の画像を表示するインターフェース（１００１〜１００３）と，回路パターン認識アルゴリズムの変更や，パラメータの値を調整するためのインターフェース１００４を備える。
【００４５】
図１０では回路パターンの認識結果として認識した回路パターン領域を白く，下地領域を黒く表示している。また，回路パターン認識アルゴリズムもしくはパラメータの値が調整された場合，回路パターン認識処理を実行し，その結果をＧＵＩの表示に反映させても良い。以上のようにして設定された「欠陥検出」および「回路パターン認識」処理に関するパラメータ値や，選択されたアルゴリズムの情報は，画像処理パラメータ記憶部２２６に記憶する。
【００４６】
次に、図１Ａで説明した処理の欠陥検出（Ｓ１２）及び配線認識（Ｓ１３）に対応する処理の詳細を説明する。
【００４７】
図５に示した検査条件設定ＧＵＩ５００上の処理実行ボタン５０７が押されると，被検査画像に対して画像処理部２１８において，欠陥検出処理（Ｓ１０７），回路パターン認識処理（Ｓ１０８），欠陥特徴量算出処理（Ｓ１０９），回路パターン特徴量算出処理（Ｓ１１０）が実行される。このとき，欠陥検出処理（Ｓ１０７）と回路パターン認識処理（Ｓ１０８）は独立であるため，並列的に実行しても良い。並列的に実行することにより処理時間の短縮が可能となる。
【００４８】
欠陥検出処理（Ｓ１０７）はＳＥＭ２０１で取得した試料ウェハ２０９の被検査画像から欠陥部位を検出する処理である。欠陥を検出する方法として，良品画像と被検査画像を比較することにより欠陥部位を検出する方法を用いれば良い。比較方法の一例として，良品画像と被検査画像を位置合せした後に差を算出し，差の値が一定値以上となる領域を欠陥として検出する方法が特許文献３に記載されている。また，良品画像を用いずに，被検査画像一枚から欠陥を検出しても良い。この方法の一例として，被検査画像に含まれる回路パターンの繰り返し周期性を用いて良品画像を推定し，欠陥を検出する方法が特許文献４に記載されている。
【００４９】
回路パターン認識処理（Ｓ１０８）は良品画像および被検査画像から回路パターンを検出する処理である。ここでの回路パターンとは，半導体ウェハ上に構成される構造物のことを指し，例えば配線やホール，半導体素子などである。回路パターンを認識する方法として，画像中において濃淡値が急激に変化する箇所を回路パターンの輪郭として抽出しておき，濃淡値や濃淡値の変化方向をもとに回路パターンの内部領域を特定し認識する方法や，画像中における濃淡値の値をもとに回路パターンの領域を認識する方法を用いればよい。また，被検査対象となる半導体製品の回路パターンのレイアウト情報を記載した設計情報を用いて画像中における回路パターンを認識しても良い。
【００５０】
次に，検出した欠陥や認識した回路パターンにそれぞれに関し，明るさや形状，位置などに関する特徴量を算出する（Ｓ１０９，Ｓ１１０）。
【００５１】
図１１に欠陥特徴量算出（Ｓ１０９）の方法を示す。欠陥特徴量算出処理は良品画像１１０１，被検査画像１１０２，欠陥検出結果，Ｓ１０４で設定した検査領域情報１１０４を入力とし，検出した欠陥それぞれについて特徴量を算出する（１１０５）。図１１の例では４つの欠陥が検出されており，各欠陥について特徴量が算出される（１１０６）。
【００５２】
図１２に回路パターン特徴量算出（Ｓ１１０）方法を示す。欠陥特徴量算出処理と同様に，良品画像１２０１，被検査画像１２０２，回路パターン認識結果１２０３，検査領域情報１２０４を入力とし，認識された回路パターンそれぞれについて特徴量を算出する（１２０５）。例えば，回路パターンがｎ個抽出された場合，ｎ個の回路パターンについて特徴量を算出する（１２０６）。なお，欠陥特徴量算出処理と回路パターン特徴量算出処理において算出する特徴量の種類は，同一のものでなくても良い。
【００５３】
次に図１３に示すウェハマップＧＵＩ１３００において，フィルタリング条件の設定および特徴量集計条件の設定を行い（Ｓ１１１〜Ｓ１１６），ウェハマップの作成を行う。本ＧＵＩ１３００は，フィルタリング条件の設定を行うインターフェース１３０１と，フィルタリング結果を確認するインターフェース１３０２と，特徴量集計条件の設定を行うインターフェース１３０３と，作成されたウェハマップを表示するインターフェース１３０４と，集計された特徴量のヒストグラムを表示するインターフェース１３０５を備える。また，設定したフィルタリング条件と特徴量集計条件を合わせてマッピング条件とし，保存ボタン１３０６を押すことでマッピング条件に名前をつけて記憶部に保存し，読込みボタン１３０７を押すことで保存したマッピング条件を名前を指定して読み込むことが可能である。
【００５４】
次に、図１Ａで説明した処理のフィルタリング（Ｓ１４）に対応する処理の詳細を説明する。
【００５５】
まず，フィルタリング条件の設定を行う（Ｓ１１１）。フィルタリングは画像内に含まれる複数種類の欠陥や回路パターンから，特定の欠陥や回路パターンのみを抽出するために行う。例えば，画像中にショート欠陥とオープン欠陥が混在しており，各欠陥の発生理由が異なる場合，別々に個数を集計することが重要となる。そこで，フィルタリングにより例えばオープン欠陥のみを抽出し，ウェハ面内での欠陥の発生傾向を確認することを可能とする。フィルタリング条件設定インターフェース１３０１においてフィルタリング条件の指定としてまず対象を「欠陥」とするか「回路パターン」とするかを選択する。
【００５６】
次に，算出した特徴量に対する条件を指定する。この方法として，例えば，特徴量に対する条件式を１つ以上設定し，それら条件の組み合わせ方法を設定すれば良い。例えば，ショート欠陥のみを抽出したい場合，「隣接する回路パターンの数≧２」かつ「欠陥部の明るさ＝回路パターンの明るさ」といった条件を設定すれば良い。
【００５７】
このように複数の条件式を組み合わせてフィルタリング条件を設定するため，フィルタリング条件の設定を行うインターフェース１３０１には，Ｓ１０４で設定した検査領域を指定するインターフェース１３０１１と，特徴量に対する条件式を定義するインターフェース１３０１２と，定義した条件式の組み合わせ方を論理式で定義するインターフェース１３０１３を備える。
【００５８】
なお，各特徴量に対する条件を組み合わせる方法以外にも，各特徴量の線形和により表される特徴量に対してしきい値を設定する方法によりフィルタリングを行っても良いし，各特徴量を基底とする特徴量空間において非線形な識別面を設定しフィルタリングを行っても良い。また，フィルタリング条件が設定もしくは変更された場合，検査ユニット制御部２１７は，フィルタリング処理部２１９を用いて，抽出された各欠陥もしくは各回路パターンが条件に一致するか一致しないかを判定する（Ｓ１１２）。
【００５９】
検査ユニット制御部２１７は，その結果をＧＵＩ１３００上のフィルタリング結果確認インターフェース１３０２に反映させる。フィルタリング結果の表示方法としては，フィルタリングにより抽出された欠陥もしくは回路パターンに枠をつけて強調表示したり，抽出された欠陥もしくは回路パターンと抽出されなかった欠陥もしくは回路パターンの表示色を変えて表示すれば良い。これにより，結果を見ながらフィルタリング条件の設定が可能となり，条件設定が容易となる。
【００６０】
次に、図１Ａで説明した処理の特徴量 算出 集計（Ｓ１５）に対応する処理の詳細を説明する。
【００６１】
まず，特徴量の集計条件について設定を行う（Ｓ１１３）。特徴量の集計とは，フィルタリングにより抽出された欠陥もしくは回路パターンの特徴量から，ウェハマップ１３０４に表示される特徴量を算出する処理である。先に説明した欠陥特徴量算出ステップＳ１０９や回路パターン特徴量算出ステップＳ１１０では、抽出された欠陥や回路パターンの１つずつに対して特徴量を算出しているが，ウェハマップ１３０４に表示する際に１チップ分の特徴量を算出する必要が生じる場合があり，１チップ内における複数の欠陥もしくは回路パターンからマッピングする特徴量を算出することが必要となる。
【００６２】
特徴量の集計条件は、特徴量集計条件の設定を行うインターフェース１３０３で設定する。まず，集計特徴量１３０３１として，算出した特徴量の中からマッピングする特徴量を設定する。次に，集計方法１３０３２として「平均／合計／標準偏差／最大値／最小値」などの中から１つを選択する。例えば，面内における回路パターンの平均的な線幅を算出したい場合には，集計特徴量１３０３１として「線幅」を選択し，集計方法１３０３２として「平均」を選択すれば良い。また，集計方法１３０３２として「標準偏差」を選択すれば面内の回路パターンにおける線幅のばらつきをウェハマップ１３０４に表示することが可能となる。特徴量集計条件１３０３１が設定もしくは変更された場合，検査ユニット制御部２１７は特徴量集計処理部２２０を用いて，設定された特徴量集計条件をもとに，算出した特徴量から図１８に示すようにチップ毎に特徴量を算出する（Ｓ１１４）。算出された特徴量は特徴量記憶部２２８に保存され（Ｓ１１５），ウェハマップ１３０４の表示に利用される（Ｓ１１６）。
【００６３】
特徴量集計処理（Ｓ１１４）が終了すると，図１３におけるウェハマップ１３０４と特徴量ヒストグラム１３０５の表示を更新する。ウェハマップ１３０４は特徴量の大きさを表現するものであり，例えば，図１４のように表示色１４０１を変更することで大きさを表しても良いし，図１５のように図形の大きさ１５０１を変更することで大きさを表しても良いし，図１６のように３次元グラフ１６０１を用いて大きさを表しても良い。
【００６４】
特徴量集計処理（Ｓ１１４）が終了してウェハマップ１３０４と特徴量ヒストグラム１３０５の表示の更新が完了すると、被検査対象であるウェハをアンロードして（Ｓ１１７）一連の操作を終了する。
【００６５】
また，本発明にかかる検査装置は，入出力端末２２４に複数のマッピング条件で作成したウェハマップを並べて表示する条件別表示ＧＵＩ１７００を備える（図１７）。条件別表示ＧＵＩ１７００の条件追加ボタン１７０１を押して保存したマッピング条件の名前が選択されると，対応するマッピング条件を読込み，ウェハマップを作成し，ウェハマップの一覧を表示するインターフェース１７０２に表示する。また，本ＧＵＩ１７００では，フィルタリング条件に一致した欠陥もしくは回路パターンの数を異なるマッピング条件間で比較して表示するインターフェース１７０３を備える。これにより，例えば，ショート欠陥数と異物欠陥数の比較を行うことが可能となる。
【００６６】
以上，本実施例では撮像した画像から欠陥もしくは回路パターンを抽出し，それらの特徴量を算出し，ユーザが指定した欠陥もしくは回路パターンのみをフィルタリング処理により抽出し，ユーザが指定した特徴量についてウェハマップに表示する方法について説明した。
【実施例２】
【００６７】
実施例１では，検査結果として特徴量をウェハマップに表示する検査方法について説明したが、実施例２では，図１９のように特徴量をチップ内の撮像箇所ごとにマッピングすることで，欠陥発生数や回路パターンの形状変化傾向などに関して，チップ内での変動傾向を可視化する検査方法について説明する。
【００６８】
本実施例にかかる検査フローは実施例１で説明した図１Ａ及び図１Ｂのフローと同様であり，装置構成も図２と同様であるが，Ｓ１１４における特徴量の集計方法とＳ１１６における表示方法が異なる。以下では実施例１との異なる部分についてのみ説明する。
【００６９】
Ｓ１１４において特徴量を集計する際に，実施例１では図１８に示すようにチップごとに特徴量を集計した。実施例２では，図２０に示すようにチップ内の撮像箇所ごとに集計を行う。特徴量集計方法の指定方法などは実施例１と同様である。
【００７０】
また，図１９では表示色を変えることで特徴量の大きさを表現しているが，実施例１の場合と同様に，例えば，図１５のように図形の大きさを変更することで大きさを表しても良いし，図１６のように３次元グラフを用いて大きさを表しても良い。
【実施例３】
【００７１】
実施例１と実施例２では，ウェハ面内やチップ面内における欠陥の発生傾向や回路パターンの形状変化傾向などを，算出した特徴量をユーザが指定したマッピング条件に基づいて表示することで可視化する検査方法について述べた。ここで，算出する特徴量が数十から数百になる場合，致命となる欠陥や回路パターンの傾向を把握可能なマップを作成するための条件設定が困難になる。そこで，本実施例では自動でマッピング条件の候補を算出する方法について述べる。
【００７２】
先ず、図２１Ａを用いて、実施例３における検査方法の概要を説明する。
最初に、ＳＥＭ２０１で試料ウェハ２０９のＳＥＭ画像を取得する（Ｓ２１）。次に、この取得したＳＥＭ画像を検査ユニット２０２で処理して、欠陥を検出し（Ｓ２２）、ＳＥＭ画像中の配線パターンを検出する（Ｓ２３）。この欠陥検出処理と配線パターン検出処理とは順次処理しても良く、また、並列に処理しても良い。図では、並列に処理する場合について示している。ここまでのフローは、図１Ａで説明した実施例１の場合と同じである。次に、検出した欠陥画像及び配線パターン画像をマッピングする条件を設定し（Ｓ２４）、所望の欠陥又は配線パターンの画像から特徴量を算出して保存し（Ｓ２５）、算出した特徴量を設定したマッピング条件に基づいてマッピング表示して（Ｓ２６）処理を終了する。
【００７３】
次に、図２１Ａで説明した処理のフローの詳細を、図２１Ｂを用いて説明する。
図２１Ｂに示した処理フローのＳ２１０１〜Ｓ２１１０は、前記したように実施例１および実施例２における検査方法の図１Ｂに示した処理フローにおけるＳ１０１〜Ｓ１１０と同一である。
【００７４】
次に、検出した欠陥画像及び配線パターン画像をマッピングする条件を設定する処理（Ｓ２４）について説明する。実施例３にかかる検査方法では，Ｓ２１０９で欠陥の特徴量を算出し、Ｓ２１１０で回路パターンの特徴量を算出処理後，マッピング条件候補を自動算出する（Ｓ２１１１）。次に，ユーザは自動算出されたマッピング条件候補の中から所望するウェハ面内変動傾向を表したマップが存在するか否かを判断し（Ｓ２１１２），マップが存在すればその条件を選択し（Ｓ２１１３），存在しなければマッピング条件を指定しなおす（Ｓ２１１４）。なお，Ｓ２１１４におけるマッピング条件の指定は，実施例１および実施例２におけるマッピング条件の指定（Ｓ１１１〜Ｓ１１４）と同様な処理を行う。
【００７５】
次に，算出した特徴量を保存し（Ｓ２１１５），マップを表示し（Ｓ２１１６），最後に検査対象であるウェハをアンロードする（Ｓ２１１７）。Ｓ２１１５〜Ｓ２１１７のステップは実施例１および実施例２におけるＳ１１５〜Ｓ１１７と同一である。
【００７６】
実施例３にかかる装置構成を図２２に示す。図２２に示した装置構成は、実施例１および実施例２にかかる装置構成に加え，マッピング条件候補算出部２２０１を備えることを特徴とする。図２２に示した装置構成において、図２に示した構成と同じ部分には同じ番号を付してある。
【００７７】
マッピング条件候補算出部２２０１で処理するＳ２１１１におけるマッピング条件候補の自動算出方法のフローについて図２３を用いて説明する。まず，抽出したい欠陥もしくは回路パターンを図２５に示すＧＵＩ２５００上で指定する（Ｓ２３０１）。図２５では被検査画像上においてマウスなどの入力手段を用いて，抽出する欠陥種を１つ以上定義可能なインターフェース２５０３を提供する。
【００７８】
図２５において２５０１は被検査画像と欠陥検出結果，選択された欠陥を強調して表示するインターフェースであり，被検査画像上において抽出した欠陥領域および選択された欠陥の表示色を変更するか，枠などをつけて表示する。ユーザはパターン選択ツール２５０２を選択した上で，画像２５０１上で抽出したい欠陥をクリックする。なお，抽出する欠陥種は複数定義可能であり，インターフェース２５０３において追加と削除が可能である。図２５では欠陥に関する選択方法について示したが回路パターンについても同様の方法により指定可能である。
【００７９】
次に，指定された欠陥もしくは回路パターンのみを抽出するフィルタリング条件の候補を算出する（Ｓ２３０２）。この方法としては例えば，各特徴量に対して抽出対象パターンと非抽出対象パターンを分離するしきい値を独立に算出する方法や，特徴量空間において抽出対象パターンと非抽出対象パターンを分離する識別面を一般的な教師あり学習方法を用いて算出する方法が考えられる。
【００８０】
次に，各フィルタリング条件に関して，特徴量集計条件の候補を算出する（Ｓ２３０３）。この方法としては例えば，図２４に示すように，チップ内における撮像箇所毎に全通りの特徴量集計条件についてウェハマップを作成し，撮像箇所に依存せずに同様の変化傾向が見られる特徴量集計条件を求めれば良い。
【００８１】
図２４の例では，特徴量集計条件１は撮像箇所に依存せずに同様の変化傾向が見られるが，特徴量集計条件２に関しては撮像箇所の違いによりウェハマップの傾向が変化している。ウェハ面内の変化傾向を表している特徴量集計条件であれば，撮像箇所の違いによりウェハマップの傾向が変化しないはずであり，撮像箇所の違いによりウェハマップの傾向が変化する特徴量集計条件は，候補から除外する。なお，ウェハマップの類似性は相関係数を算出することで定量化可能である。
【００８２】
Ｓ２１１２において作成したマッピング条件候補を確認するＧＵＩ２６００を図２６に示す。ユーザはまず，図２５のＧＵＩ２５００上のインターフェース２５０３で指定した１つ以上の欠陥もしくは回路パターンをインターフェース２６０１から選択する。次に，インターフェース２６０２を用いて自動設定されたフィルタリング条件候補から１つを選択し，インターフェース２６０３，２６０４を用いてフィルタリング条件とフィルタリング結果を確認する。インターフェース２６０５は自動設定された特徴量集計条件候補を用いて作成したウェハマップを表示するインターフェースであり，ユーザはインターフェース２６０５から所望するウェハマップが得られる特徴量集計条件を選択する。
【符号の説明】
【００８３】
２０１・・・ＳＥＭ    ２０２・・・検査ユニット    ２０５・・・ＳＥＭ制御部      ２０６・・・記憶部    ２０７・・・入出力インターフェース    ２０８・・・入出力端末    ２１７・・・検査ユニット制御部    ２１８・・・画像処理部    ２１９・・・フィルタリング処理部    ２２０・・・特徴量集計部    ２２１・・・検査結果表示部    ２２２・・・検査情報記憶部    ２２３・・・入出力インターフェース    ２２４・・・入出力端末。
【図１Ａ】
0005444092.tif 000002
【図１Ｂ】
0005444092.tif 000003
【図２】
0005444092.tif 000004
【図３】
0005444092.tif 000005
【図４】
0005444092.tif 000006
【図５】
0005444092.tif 000007
【図６】
0005444092.tif 000008
【図７】
0005444092.tif 000009
【図８】
0005444092.tif 000010
【図９】
0005444092.tif 000011
【図１０】
0005444092.tif 000012
【図１１】
0005444092.tif 000013
【図１２】
0005444092.tif 000014
【図１３】
0005444092.tif 000015
【図１４】
0005444092.tif 000016
【図１５】
0005444092.tif 000017
【図１６】
0005444092.tif 000018
【図１７】
0005444092.tif 000019
【図１８】
0005444092.tif 000020
【図１９】
0005444092.tif 000021
【図２０】
0005444092.tif 000022
【図２１Ａ】
0005444092.tif 000023
【図２１Ｂ】
0005444092.tif 000024
【図２２】
0005444092.tif 000025
【図２３】
0005444092.tif 000026
【図２４】
0005444092.tif 000027
【図２５】
0005444092.tif 000028
【図２６】
0005444092.tif 000029